(57)【特許請求の範囲】
【請求項１】
先端にスプールが取り付けられたスプール軸と、
ハンドルの回転運動を直線運動に変換してスプール軸を前後動させるように、スプール軸の後端に固定され且つトラバースカム軸に沿って前後動可能な摺動体を有するオシレーティング機構とを具備し、
前記摺動体には、前記トラバースカム軸の全周の一部に対向して形成された対向部と、この対向部から一方向に突出した案内支持部と、前記対向部から他方向に突出され、先端部に略Ｕ字状に開口した嵌合溝を有した嵌合案内部とが設けられており、
前記案内支持部の突出端側のリール本体には、該案内支持部をガイドする該案内支持部に向かって突出された本体側支持部が前記トラバースカム軸に沿って設けられ、前記嵌合案内部の突出端側のリール本体には、該嵌合案内部の嵌合溝に嵌合してガイドするガイド軸が前記トラバースカム軸に沿って設けられていることを特徴とする魚釣用スピニングリール。
【発明の詳細な説明】
【０００１】
【発明の属する技術分野】
本発明は、釣糸をスプールに片寄ること無く均一に巻回させるようにスプール軸を前後動させるオシレーティング機構を備えた魚釣用スピニングリールに関する。
【０００２】
【従来の技術】
まず、第１の従来技術として、例えば実用新案登録第２５５２６７６号に開示されているように、従来のオシレーティング機構は、スプール軸と平行に配置されたトラバースカム軸と、スプール軸の後端に固定され且つトラバースカム軸に沿って前後方向に摺動する摺動体と、この摺動体の回転方向のガタ付きを抑制するための１本のガイド軸とを備えており、トラバースカム軸及びガイド軸は、共に、摺動体を貫通して延出している。
【０００３】
また、第２の従来技術として、例えば特開平８−１３１０２９号公報に開示されているように、従来のオシレーティング機構は、スプール軸と平行に配置されたトラバースカム軸と、スプール軸の後端に固定され且つトラバースカム軸の外周に一部摺接した摺動体と、摺動体の回転方向のガタ付きを抑制するために、スプール軸及びトラバースカム軸と平行に配置された２本のガイド軸とを備えており、これら２本のガイド軸は、摺動体を貫通して延出している。
【０００４】
【発明が解決しようとする課題】
しかしながら、第１の従来技術では、トラバースカム軸及びガイド軸の双方を摺動体に貫通させる構成を採っているため、リール本体へのオシレーティング機構の組込順に一定の制約が生じて、その組込性が悪くなると共に、大径のトラバースカム軸の全周を被覆可能な寸法に摺動体を形成する必要上、摺動体の寸法が大きくなって、その分、オシレーティング機構全体の寸法も大きくなり、その結果、リール全体が大型化してしまう。
【０００５】
また、第２の従来技術において、摺動体は、トラバースカム軸の外周に一部摺接しており、トラバースカム軸の全周を被覆していないため、第１の従来技術のようなリール全体の大型化は防止することができる。しかしながら、２本のガイド軸の双方を摺動体に貫通させる構成を採っているため、第１の従来技術と同様に、リール本体へのオシレーティング機構の組込順に一定の制約が生じて、その組込性が悪くなるといった問題は依然として残る。
【０００６】
本発明は、このような問題を解決するために成されており、その目的は、摺動体をガタ付くこと無く前後動させることが可能であって、且つ、リール本体への組込性に優れたオシレーティング機構を備えた魚釣用スピニングリールを提供することにある。
【０００７】
【課題を解決するための手段】
このような目的を達成するために、本発明の魚釣用スピニングリールは、先端にスプールが取り付けられたスプール軸と、ハンドルの回転運動を直線運動に変換してスプール軸を前後動させるように、スプール軸の後端に固定され且つトラバースカム軸に沿って前後動可能な摺動体を有するオシレーティング機構とを具備し、前記摺動体には、前記トラバースカム軸の全周の一部に対向して形成された対向部と、この対向部から一方向に突出した案内支持部と、前記対向部から他方向に突出され、先端部に略Ｕ字状に開口した嵌合溝を有した嵌合案内部とが設けられており、前記案内支持部の突出端側のリール本体には、該案内支持部をガイドする該案内支持部に向かって突出された本体側支持部が前記トラバースカム軸に沿って設けられ、前記嵌合案内部の突出端側のリール本体には、該嵌合案内部の嵌合溝に嵌合してガイドするガイド軸が前記トラバースカム軸に沿って設けられている。
【０００８】
【発明の実施の形態】
以下、本発明の一実施の形態に係る魚釣用スピニングリールについて、添付図面を参照して説明する。
【０００９】
図１に示すように、魚釣用スピニングリールのリール本体２内には、ハンドル４の回転操作によって回転駆動される駆動歯車６が設けられており、この駆動歯車６には、中空のピニオン８が噛合している。尚、ピニオン８は、軸受（図示しない）を介してリール本体２に回転可能に支持されている。
【００１０】
ピニオン８内には、スプール軸１０が軸方向に挿通されており、このスプール軸１０の先端には、釣糸（図示しない）が巻回されるスプール１２が取り付けられている。
【００１１】
また、ピニオン８には、このピニオン８と一体的に回転するロータ１４が取り付けられており、このロータ１４には、一対のベール取付アーム１４ａが設けられている。これらベール取付アーム１４ａには、夫々、揺動アーム１６を介してベール１８が釣糸放出状態と釣糸巻回状態に回動可能に支持されている。なお、一方の揺動アーム１６とベール１８の端部との間には、釣糸案内機構（ラインローラ）１９（図３参照）が支持されている。
【００１２】
また、上記の駆動歯車６には、オシレーティング機構２０が係合しており、ハンドル４を回転操作して駆動歯車６を回転させることによって、上述したスプール軸１０を前後動させることができるように構成されている。
【００１３】
オシレーティング機構２０には、スプール軸１０と平行に配置され且つ軸受  （図示しない）を介してリール本体２に回転可能に支持されたトラバースカム軸２２と、スプール軸１０の後端に固定され且つトラバースカム軸２２に沿って前後方向に摺動する摺動体２４とが設けられている。
【００１４】
トラバースカム軸２２は、ギヤ２６を介してピニオン８に連結されており、一方、摺動体２４には、このトラバースカム軸２２に常時係合している係合ピン２８が設けられている。また、摺動体２４は、止めネジ３０によってスプール軸１０の後端に固定されている。摺動体２４には、スプール軸１０の後端の外形と同一の形状を成す窪み部２４ｃ（図２（ｂ）参照）が形成されており、この窪み部２４ｃ内にスプール軸１０の後端を当て付けた状態で止めネジ３０を締結することによって、摺動体２４をスプール軸１０の後端に固定することができる。
【００１５】
このようなオシレーティング機構２０によれば、ハンドル４の回転操作によって駆動歯車６を介してピニオン８を回転させると、このピニオン８に噛合したギヤ２６が回転し、このギヤ２６の回転と共にトラバースカム軸２２が回転する。このとき、トラバースカム軸２２に係合した係合ピン２８が、トラバースカム軸２２の回転に伴って前後動することによって、摺動体２４は、トラバースカム軸２２に沿って前後動する。この結果、この摺動体２４に止めネジ３０を介して連結しているスプール軸１０を前後動させることができる。
【００１６】
上述したような構成を有する魚釣用スピニングリールにおいて、ハンドル４を回転操作すると、その回転運動は、駆動歯車６を介してピニオン８に伝達され、このピニオン８を回転させる。同時に、ハンドル４の回転運動は、オシレーティング機構２０を介してスプール軸１０に伝達され、このスプール軸１０を前後動させる。このとき、ロータ１４が回転しつつスプール１２が前後動することによって、釣糸は、釣糸案内機構１９を介してスプール１２に片寄ること無く均等に巻回される。
【００１７】
また、本実施の形態の魚釣用スピニングリールには、オシレーティング機構２０の摺動体２４のガタ付きの発生を抑制するためのガタ防止機構と、リール本体２に対するオシレーティング機構２０の組込性を向上させるための構成とが設けられている。
【００１８】
図２（ａ），（ｂ）に示すように、本実施の形態に適用したオシレーティング機構２０の摺動体２４は、トラバースカム軸２２の全周を覆うように形成されておらず、トラバースカム軸２２の全周の一部に対向するように形成されている。具体的には、摺動体２４には、トラバースカム軸２２の全周の一部に対向する対向部２４ａが形成されている。そして、ガタ防止機構として、摺動体２４には、対向部２４ａから一方向に連続して形成された案内支持部３２と、対向部２４ａから他方向に連続して形成された嵌合案内部３４とが設けられている。
【００１９】
案内支持部３２は、リール本体２に向かって横方向に突出しており、この案内支持部３２の突出端側のリール本体２には、ガタ防止機構として、案内支持部３２をガイドする本体側支持部３６がトラバースカム軸２２に沿って設けられている。本体側支持部３６は、リール本体２から案内支持部３２に向かって突出しており、その突出端部には、案内支持部３２の案内面３２ａを当て付けることが可能な当付面３６ａが形成されている。これら案内面３２ａ及び当付面３６ａは、共に、滑らかな面に仕上げられており、案内面３２ａを当付面３６ａに当て付けた状態において、案内支持部３２は、本体側支持部３６に沿って円滑に且つ矢印Ｒ１方向にガタ付くこと無くガイドされる。
【００２０】
一方、嵌合案内部３４は、リール本体２に向かって下方に突出しており、その突出端には、所定の形状に開口した開口部、即ち略Ｕ字状の嵌合溝３４ａが形成されている。この嵌合案内部３４の突出端側のリール本体２には、ガタ防止機構として、嵌合溝３４ａに嵌合可能な１本のガイド軸３８がトラバースカム軸２２に沿って配置されている。これら嵌合溝３４ａ及びガイド軸３８は、共に、滑らかな面に仕上げられており、嵌合溝３４ａにガイド軸３８を嵌合させた状態において、嵌合案内部３４は、ガイド軸３８に沿って円滑に且つ矢印Ｒ２方向にガタ付くこと無くガイドされる。
【００２１】
このようなガタ防止機構によれば、本体側支持部３６とガイド軸３８の２箇所でガイドしたことによって、オシレーティング機構２０の摺動体２４をガタ付くこと無く、トラバースカム軸２２に沿って前後動させることが可能となる。
【００２２】
次に、リール本体２に対するオシレーティング機構２０の組込性を向上させるための構成について説明する。
【００２３】
図２（ａ），（ｂ）に示すように、摺動体２４には、対向部２４ａから反対向部２４ｂに亘って、トラバースカム軸２２に対して略直交する方向に貫通した収容孔４０が形成されており、この収容孔４０は、係合ピン２８の基部２８ａを例えば対向部２４ａ側から挿脱可能に収容することができるようになっている。
【００２４】
ところで、摺動体２４をトラバースカム軸２２に沿って前後動させる場合、その往路と復路において、係合ピン２８は、トラバースカム軸２２に形成された螺旋状カム溝２２ａに沿って、その傾斜角度が変化し、その際、係合ピン２８は、所定量だけ回転することになる。従って、この係合ピン２８が円滑に回転できるように、上述した収容孔４０の内径寸法及び係合ピン２８の基部２８ａの外径寸法を相互に調整しておくことが好ましい。
【００２５】
この場合、図２（ｂ）に示すように、係合ピン２８の基部２８ａ外周にカラー部材４２を取り付けて、このカラー部材４２を介して係合ピン２８の基部２８ａを収容孔４０に収容させるようにしても良い。
【００２６】
また、例えば摺動体２４の対向部２４ａ側から係合ピン２８の基部２８ａを収容孔４０に収容させたときに、この係合ピン２８が摺動体２４の反対向部２４ｂから抜け落ちてしまわないように、本実施の形態のオシレーティング機構２０には、摺動体２４の反対向部２４ｂ側に着脱自在に取付可能な止め板４４が設けられている。
【００２７】
止め板４４は、止めネジ３０によって摺動体２４をスプール軸１０の後端に締結する際に同時に、この止めネジ３０によって摺動体２４の反対向部２４ｂに取り付けることができるように構成されている。
【００２８】
このような構成において、係合ピン２８の基部２８ａを収容孔４０に収容し、係合ピン２８をトラバースカム軸２２の螺旋状カム溝２２ａに係合させた後、止めネジ３０によって止め板４４と共に摺動体２４をスプール軸１０に締結する。このとき、止め板４４によって係合ピン２８の基部２８ａが対向部２４ａ方向に押圧されるため、係合ピン２８は、反対向部２４ｂから抜け落ちることが防止された状態で、トラバースカム軸２２の螺旋状カム溝２２ａにしっかりと係合される。
【００２９】
この場合、図２に示すように、止め板４４と係合ピン２８の基部２８ａとの間にワッシャ４６を介挿させても良い。
【００３０】
なお、止め板４４には、略Ｕ字状の切欠部４４ａが形成されており、この切欠部４４ａを介して、係合ピン２８の基部２８ａから突出した回転軸２８ｂを露出させている。
【００３１】
次に、オシレーティング機構２０をリール本体２に組み込む方法の一例について説明する。
【００３２】
まず、摺動体２４の対向部２４ａ側から、係合ピン２８の基部２８ａを収容孔４０に挿入した後、摺動体２４の窪み部２４ｃをスプール軸１０の後端に当て付けると共に、係合ピン２８をトラバースカム軸２２の螺旋状カム溝２２ａに軽く係合させる。このとき、摺動体２４から横方向に突出した案内支持部３２の案内面３２ａをリール本体２から突出した本体側支持部３６の当付面３６ａに当て付けると共に、摺動体２４から下方に突出した嵌合案内部３４の嵌合溝３４ａをリール本体２に設けられたガイド軸３８に嵌合させる。
【００３３】
次に、摺動体２４の反対向部２４ｂ側から止め板４４を当て付けた状態で、止めネジ３０を締結する。なお、このとき、止め板４４と係合ピン２８の基部２８ａとの間にワッシャ４６を介挿させておく。そして、止めネジ３０を摺動体２４に完全に締結することによって、摺動体２４がスプール軸１０の後端に固定されると同時に、止め板４４が摺動体２４の反対向部２４ｂに取り付けられる。
【００３４】
このプロセスを経た結果、係合ピン２８は、止め板４４によって反対向部２４ｂから抜け落ちることが防止された状態で、トラバースカム軸２２の螺旋状カム溝２２ａにしっかりと係合される。
【００３５】
そして、実際にオシレーティング機構２０を動作させたとき、摺動体２４は、本体側支持部３６とガイド軸３８の２箇所でガイドされながら、トラバースカム軸２２に沿って前後動する。この結果、摺動体２４をガタ付くこと無く前後動させることが可能となる。
【００３６】
また、摺動体２４は、トラバースカム軸２２の全周の一部に対向するように形成されており、スプール軸１０の後端は、摺動体２４の窪み部２４ｃに当て付けられるようになっている。そして、上述したガタ防止機構においても、その案内支持部３２は、本体側支持部３６に当て付けられるようになっており、一方、その嵌合案内部３４は、開口した嵌合溝３４ａにガイド軸３８を嵌合させるようになっている。
【００３７】
つまり、この摺動体２４には、貫通する部材が一切存在しないため、リール本体２に対するオシレーティング機構２０の組込順に自由度が生じ、上述した１つのプロセスだけで無く、種々の組込方法を採用することが可能となる。例えば、係合ピン２８を反対向部２４ｂ側から摺動体２４の収容孔４０に挿入し、係合ピン２８の基部２８ａを収容孔４０に収容させるプロセスを採用しても良い。
【００３８】
更に、摺動体２４を貫通する部材については一切考慮する必要が無くなったことによって、摺動体２４の形状を簡素化させることが可能となると共に、摺動体２４の寸法も小さくすることが可能となる。そして、摺動体２４の寸法を小さくすることによって、オシレーティング機構２０の小型化及び軽量化を図ることが可能となり、その結果、リール全体の小型化及び軽量化が実現される。
【００３９】
このように本実施の形態に用いたオシレーティング機構２０によれば、オシレーティング機構２０の摺動体２４のガタ付きの発生を抑制することが可能となると同時に、リール本体２に対するオシレーティング機構２０の組込性を向上させることが可能となる。
【００４０】
【発明の効果】
本発明によれば、摺動体をガタ付くこと無く前後動させることが可能であって、且つ、リール本体への組込性に優れたオシレーティング機構を備えた魚釣用スピニングリールを提供することができる。
【図面の簡単な説明】
【図１】本発明の一実施の形態に係る魚釣用スピニングリールの構成を示す図。
【図２】（ａ）は、オシレーティング機構の構成を拡大して示す図、（ｂ）は、同図  （ａ）のＡ−Ａ線に沿う断面図。
【図３】魚釣用スピニングリールを後方から見た場合における図２（ａ）のＡ−Ａ線に沿う断面図。
【符号の説明】
１０  スプール軸
２０  オシレーティング機構
２２  トラバースカム軸
２４  摺動体
２４ａ  対向部
３２  案内支持部
３４  嵌合案内部
３６  本体側支持部
３８  ガイド軸
【図１】
0003566562.tif 000002
【図２】
0003566562.tif 000003
【図３】
0003566562.tif 000004